(57)【要約】【課題】簡単に開封して、その状態で積み上げて展示することができ、材料の使用面積も抑制できる包装展示兼用箱を提供する。【解決手段】底面板２から前受板１、対向する底側板６及び後面板３を起立させ、前受板１と底側板６とを連結し、後面板３から後側板７を前方へ折り曲げて、底側板６と後側板７とを接着し、後面板３から天面板４を前方へ、天面板４から前面板５を下方へ順次折り曲げ、天面板４に両側の天側板８との境界の後端から離れた位置へ向かう切目線１２ａを入れ、切目線１２ａが側面の開放端縁へ至るようにし、天面板４から天側板８を下方へ折り曲げて、天側板８と後側板７とを接着する。展示に際しては、切目線１２ａを切断することにより、トレイ部分２１と蓋部分２２とに分離する。【選択図】図２
2016120967.tif 000002
【特許請求の範囲】
【請求項１】
商品を包み込む前受板(1)、底面板(2)、後面板(3)、天面板(4)及び前面板(5)を順次連設すると共に、底面板(2)、後面板(3)及び天面板(4)の両側にそれぞれ底側板(6)、後側板(7)及び天側板(8)を連設し、前受板(1)、底面板(2)、後面板(3)、底側板(6)、後側板(7)及び天側板(8)の少なくとも一部がトレイ部分(21)を構成し、天面板(4)及び前面板(5)が蓋部分(22)を構成するようにし、天面板(4)に両側の天側板(8)との境界の後端から離れた位置へ向かう切目線(12a)を入れ、切目線(12a)が側面の開放端縁へ至るようにし、
包装に際しては、底面板(2)から前受板(1)、対向する底側板(6)及び後面板(3)を起立させ、前受板(1)と底側板(6)とを連結し、後面板(3)から後側板(7)を前方へ折り曲げて、底側板(6)と後側板(7)とを接着し、後面板(3)から天面板(4)を前方へ、天面板(4)から前面板(5)を下方へ順次折り曲げ、天面板(4)から天側板(8)を下方へ折り曲げて、天側板(8)のトレイ部分(21)と後側板(7)とを接着しておき、
展示に際しては、切目線(12a)を切断することにより、トレイ部分(21)と蓋部分(22)とに分離するようにした包装展示兼用箱。
【請求項２】
請求項１に記載の包装展示兼用箱において、天面板(4)に入れた切目線(12a)は、両側の天側板(8)との境界の前端へ向かうことを特徴とする包装展示兼用箱。
【請求項３】
請求項１又は２に記載の包装展示兼用箱において、前面板(5)の両側に前側板(9)を連設し、包装に際しては、前面板(5)から前側板(9)を後方へ折り曲げ、天側板(8)を前側板(9)に重ねることを特徴とする包装展示兼用箱。
【請求項４】
請求項１又は３に記載の包装展示兼用箱において、天面板(4)には、切目線(12a)間の部分で後部から前部へ延びる２本の山折線(4a)と、切目線(12a)の両側端から山折線(4a)の前部へ斜めに延びる２本の谷折線(4b)とを入れたことを特徴とする包装展示兼用箱。
【請求項５】
請求項３に記載の包装展示兼用箱において、前受板(1)に切目線(11a)を入れ、その内側の領域を切取部(11)とし、前受板(1)と前面板(5)のこれに重なる部分とを、前受板(1)の切取部(11)の領域内で接着したことを特徴とする包装展示兼用箱。
【請求項６】
請求項５に記載の包装展示兼用箱を組み立てて包装状態とする包装装置であって、供給された包装展示兼用箱のブランクの底面板(2)に対して後面板(3)及び底側板(6)を折り曲げると共に、後面板(3)から後側板(7)を折り曲げ、底側板(6)と後側板(7)とを接着した状態で、トレイ部分(21)に商品を収納し、蓋部分(22)をトレイ部分(21)に被せて形成し、前受板(1)と前面板(5)のこれに重なる部分とを、前受板(1)の切取部(11)の領域内で接着することを特徴とする包装装置。
【請求項７】
請求項６に記載の包装装置において、包装展示兼用箱が後面板(3)を底側として横倒しにされた状態で、上向きとなって開放された前面側から商品を後面板(3)の内面に順次積み上げるようにトレイ部分(21)に収納し、その後、底面板(2)から前受板(1)を折り曲げ、天面板(4)から前面板(5)を折り曲げて、前受板(1)と前面板(5)とを接着することを特徴とする包装装置。
【請求項８】
請求項６又は７に記載の包装装置において、後面板(3)から後側板(7)を折り曲げた後、後面板(3)から天面板(4)を折り曲げ、天側板(8)を後側板(7)に重なる方向へ一旦折り曲げた状態で、トレイ部分(21)に商品を収納し、その後、前面板(5)を前受板(1)の方向へ折り曲げると共に、天側板(8)を後側板(7)から一旦引き離し、その状態で、前側板(9)を折り曲げ、その後、天側板(8)を後側板(7)及び前側板(9)の外面に重なるように折り曲げて、後側板(7)及び前側板(9)と天側板(8)とを接着することを特徴とする包装装置。
【発明の詳細な説明】
【技術分野】
【０００１】
この発明は、商品の包装及び展示に兼用される包装展示兼用箱及びその包装装置に関するものである。
【背景技術】
【０００２】
従来、下記特許文献１には、図１４に示すように、商品を収容するトレイ体５１と、これに外側から被せる蓋体５２とから成る包装展示兼用箱が記載されている。
【０００３】
この包装展示兼用箱のトレイ体５１及び蓋体５２は、別体のブランクからそれぞれ組み立てられ、トレイ体５１は、底壁５３、前面壁５４、後面壁５５及び一対の側面壁５６を有し、蓋体５２は、天面壁５７、前面壁５８、後面壁５９及び一対の側面壁６０を有するものとされている。前面壁５４，５８及び後面壁５５には、それぞれミシン目状の切目線６１ａ，６２ａ，６３ａを入れて切取部６１，６２，６３が設けられている。
【０００４】
そして、この包装展示兼用箱を使用して、商品を店舗への配送のため包装する際には、前面壁５４，５８を切取部６１，６２の領域内の接着部６４で接着し、後面壁５５，５９を切取部６３の領域内の接着部６５で接着することにより、トレイ体５１と蓋体５２とを固定し、封緘状態とする。
【０００５】
一方、店頭で商品を展示する際には、切取部６１，６２を、切目線６１ａ，６２ａの切断に伴い、貼り合わされた状態で前面壁５４，５８から切り取り、蓋体５２を後面壁５９の下端縁を中心にして回転させることにより、切取部６３を、切目線６３ａの切断に伴い後面壁５９に貼り付いた状態で、後面壁５５から切り取る。
【０００６】
このように開封すると、トレイ体５１と蓋体５２とが分離されるので、トレイ体５１から蓋体５２を除去して、トレイ体５１に収容された商品を、買物客から見えやすいように露出させた状態で展示することができる。
【先行技術文献】
【特許文献】
【０００７】
【特許文献１】特開２０１２−３０８９２号公報
【発明の概要】
【発明が解決しようとする課題】
【０００８】
しかしながら、上記のような包装展示兼用箱では、店頭で開封して展示状態とする際、前面壁５４，５８の切取部６１，６２を切り取り、次いで、後面壁５５の切取部６３を切り取る２段階の工程が必要となり、作業に手間がかかるという問題があるほか、開封した展示状態では、積み上げることができず、展示態様が限定されるという問題がある。
【０００９】
また、トレイ体５１と蓋体５２の重なり合う部分が大きいため、材料である用紙の使用面積が大きくなり、製造コストがかかるという問題がある。
【００１０】
そこで、この発明は、簡単に開封して、その状態で積み上げて展示でき、材料の使用面積も抑制できる包装展示兼用箱及びその包装装置を提供することを課題とする。
【課題を解決するための手段】
【００１１】
上記課題を解決するため、この発明に係る包装展示兼用箱は、商品を包み込む前受板、底面板、後面板、天面板及び前面板を順次連設すると共に、底面板、後面板及び天面板の両側にそれぞれ底側板、後側板及び天側板を連設し、前受板、底面板、後面板、底側板、後側板及び天側板の少なくとも一部がトレイ部分を構成し、天面板及び前面板が蓋部分を構成するようにし、天面板に両側の天側板との境界の後端から離れた位置へ向かう切目線を入れ、切目線が側面の開放端縁へ至るようにし、包装に際しては、底面板から前受板、対向する底側板及び後面板を起立させ、前受板と底側板とを連結し、後面板から後側板を前方へ折り曲げて、底側板と後側板とを接着し、後面板から天面板を前方へ、天面板から前面板を下方へ順次折り曲げ、天面板から天側板を下方へ折り曲げて、天側板のトレイ部分と後側板とを接着しておき、展示に際しては、切目線を切断することにより、トレイ部分と蓋部分とに分離するようにしたのである。
【００１２】
この包装展示兼用箱においては、天面板に入れた切目線は、両側の天側板との境界の前端へ向かうものとすることができる。
【００１３】
また、前面板の両側に前側板を連設し、包装に際しては、前面板から前側板を後方へ折り曲げ、天側板を前側板に重ねるようにしてもよい。
【００１４】
また、天面板には、切目線間の部分で後部から前部へ延びる２本の山折線と、切目線の両側端から山折線の前部へ斜めに延びる２本の谷折線とを入れてもよい。
【００１５】
さらに、前受板に切目線を入れ、その内側の領域を切取部とし、前受板と前面板のこれに重なる部分とを、前受板の切取部の領域内で接着してもよい。
【００１６】
上記のような包装展示兼用箱を包装状態に自動的に組み立てるには、供給された包装展示兼用箱のブランクの底面板に対して後面板及び底側板を折り曲げると共に、後面板から後側板を折り曲げ、底側板と後側板とを接着した状態で、トレイ部分に商品を収納し、蓋部分をトレイ部分に被せて形成し、前受板と前面板のこれに重なる部分とを、前受板の切取部の領域内で接着する包装装置を使用すればよい。
【００１７】
また、このような包装装置において、食品パウチのような商品を包装するものでは、包装展示兼用箱が後面板を底側として横倒しにされた状態で、上向きとなって開放された前面側から商品を後面板の内面に順次積み上げるようにトレイ部分に収納し、その後、底面板から前受板を折り曲げ、天面板から前面板を折り曲げて、前受板と前面板とを接着する構成を採用すればよい。
【００１８】
さらに、このような包装装置において、後面板から後側板を折り曲げた後、後面板から天面板を折り曲げ、天側板を後側板に重なる方向へ一旦折り曲げた状態で、トレイ部分に商品を収納し、その後、前面板を前受板の方向へ折り曲げると共に、天側板を後側板から一旦引き離し、その状態で、前側板を折り曲げ、その後、天側板を後側板及び前側板の外面に重なるように折り曲げて、前側板と天側板とを接着するようにし、天面板を後側板及び前側板の端縁で受け止めて、流通過程での積み上げ荷重等による天面板の落ち込みを防止するようにしてもよい。
【発明の効果】
【００１９】
この発明に係る包装展示兼用箱では、１ピースのブランクからトレイ部分と蓋部分とを構成し、包装状態では、トレイ部分と蓋部分とを、基本的に天側板と後側板との接着によってのみ固定するので、蓋部分を引っ張って、切目線を切断するだけで開封し、展示状態とすることができる。
【００２０】
また、トレイ部分と蓋部分との重なり合う部分を、前面及び側面の一部だけとして、材料の使用面積を抑制することができるほか、簡単な包装構造であることから、封緘機への適用性に優れ、効率よく封緘することができる。
【００２１】
そして、展示状態では、天面板の両側後部が桟板として残存するので、複数個のトレイ部分を積み上げて展示することができ、トレイ部分の前受板により商品の前方へのこぼれ出しを防止すると共に、商品を後面板に凭れさせて展示することができる。
【００２２】
さらに、このような包装展示兼用箱は、包装装置によって組み立てつつ、商品を包装することができるので、商品の包装作業を正確かつ高速に行うことができ、流通の効率化を図ることができる。
【図面の簡単な説明】
【００２３】
【図１】この発明の第１実施形態に係る包装展示兼用箱のブランクを示す図
【図２】同上の包装展示兼用箱の包装状態を示す斜視図
【図３】同上の展示状態への変換過程を示す斜視図
【図４】同上のトレイ部分の展示状態を示す斜視図
【図５】この発明の第２実施形態に係る包装展示兼用箱のブランクを示す図
【図６】同上の包装展示兼用箱の包装状態を示す斜視図
【図７】同上の展示状態への変換状態を示す斜視図
【図８】同上の積み上げた展示状態を示す斜視図
【図９】同上の第２実施形態の変形例のブランクを示す図
【図１０】同上の第２実施形態の変形例のブランクを示す図
【図１１】この発明に係る包装装置の上流工程部分を示す概略斜視図
【図１２】同上の中間工程部分を示す概略斜視図
【図１３】同上の下流工程部分を示す概略斜視図
【図１４】従来の包装展示兼用箱の包装状態を示す斜視図
【発明を実施するための形態】
【００２４】
まず、この発明の第１実施形態を図１〜図４に基づいて説明する。
【００２５】
この包装展示兼用箱は、高さが奥行より大きい深型のものであり、図１に示す段ボールのブランクから組み立てられる。このブランクでは、前受板１、底面板２、後面板３、天面板４及び前面板５が段ボールの段目方向に順次連設され、底面板２、後面板３、天面板４及び前面板５の両側に、それぞれ底側板６、後側板７及び天側板８及び前側板９が連設され、底側板６の前受板１側の側端には、連結片１０が連設されている。
【００２６】
前受板１には、先端側からミシン目状の切目線１１ａを入れて逆台形状の切取部１１が設けられている。切取部１１の周縁の切目線１１ａは、繋部を有するものであるが、底辺部分が殆ど切断され、切取部１１を容易に切り取れるようになっている。
【００２７】
後面板３の天面板４との境界に臨む部分には、その幅方向の中間部にミシン目状の切目線１２ａを入れて逆台形状の押込部１２が設けられている。
【００２８】
天面板４には、押込部１２の周囲の切目線１２ａに続いて、後面板３から離れ両側の天側板８との境界へ途中で曲がって向かう切目線１２ａが入れられ、これに続いて天側板８にも、その先端縁の中央部へ斜めに向かう直線状の切目線１２ａが入れられている。これらの切目線１２ａは、鉤状の切目が断続するジッパー型とされている。
【００２９】
また、天面板４には、切目線１２ａ間の部分で後部から前部へ天側板８との境界に平行に延びる２本の山折線４ａと、切目線１２ａの両側端から山折線４ａの前部へ斜めに延びる２本の谷折線４ｂとが入れられている。山折線４ａは、段ボールを裏面側から押圧した押罫線とされ、谷折線４ｂは、段ボールを表面側から押圧した押罫線とされている。
【００３０】
後側板７の組立時における前縁上部は、天側板８の切目線１２ａの傾斜に合わせて、斜めに切断されている。また、連結片１０の組立時における前縁上部は、切取部１１の形状に合わせて切り欠かれている。
【００３１】
このブランクにおいて、前受板１、底面板２、後面板３、底側板６、後側板７、連結片１０及び天側板８の切目線１２ａより後側板７側の部分はトレイ部分２１を構成し、天面板４、前面板５、前側板９及び天側板８の切目線１２ａより前側板９側の部分は蓋部分２２を構成する。
【００３２】
トレイ部分２１の組立時にホットメルト接着剤で接着する位置は、前受板１及び連結片１０の接着部１３と、底側板６の後部及び後側板７の下部の接着部１４とされ、蓋部分２２の組立時にホットメルト接着剤で接着する位置は、天側板８の切目線１２ａより前部及び前側板９の上部の接着部１５とされている。
【００３３】
また、トレイ部分２１と蓋部分２２とを接合するためホットメルト接着剤で接着する位置は、図中において網掛表示した天側板８の切目線１２ａより後部及び後側板７の上部の接着部１５ａと、前受板１の切取部１１の領域内及び前面板５の下部の接着部１６とされている。
【００３４】
このようなブランクを組み立てて配送する商品を包装する際には、図２に示すように、底面板２から前受板１、一対の底側板６及び後面板３を起立させ、連結片１０を前受板１の内面に沿って折り曲げ、接着部１３で接着することにより、前受板１と底側板６とを連結し、後側板７を前方へ折り曲げ、底側板６と後側板７とを接着部１４で接着する。
【００３５】
次に、後面板３から天面板４を前方へ、天面板４から前面板５を下方へ順次折り曲げ、前受板１と前面板５のこれに重なる部分とを、前受板１の切取部１１の領域内の接着部１６で接着する。また、前面板５から前側板９を後方へ折り曲げ、天面板４から天側板８を下方へ折り曲げ、天側板８の切目線１２ａより前部と前側板９とを接着部１５で接着し、天側板８の切目線１２ａより後部と後側板７とを接着部１５ａで接着する。これらの接着に際しては、ホットメルト接着剤を使用する。
【００３６】
この包装状態において、天側板８の切目線１２ａは、後側板７と前側板９の突合部に向かって延びることとなる。
【００３７】
一方、店頭での商品の展示に際しては、図３に示すように、後面上部の押込部１２を押し込んで、その周囲の切目線１２ａを切断し、押込部１２の抜出穴に指を入れ、天面板４の後部を手前に引くことにより、天面板４の切目線１２ａを切断すると共に、天側板８の切目線１２ａを切断し、切取部１１を、切目線１１ａの切断に伴い、前面板５に貼り付いた状態で前受板１から切り取ることにより、トレイ部分２１と蓋部分２２とに分離し、開封状態とする。
【００３８】
このとき、天面板４は、山折線４ａ及び谷折線４ｂに沿って切目線１２ａの間の部分が盛り上がるように撓むので、切目線１２ａの繋部に大きな引張力が作用し、切目線１２ａを容易に切断することができる。
【００３９】
そして、図４に示すように、トレイ部分２１から蓋部分２２を除去し、切取部１１を切り取って、トレイ部分２１に収容された商品Ｇが露出した展示状態とする。この展示状態では、天面板４の両側後部が桟板として残存するので、複数個のトレイ部分２１を積み上げて展示することができる。また、前受板１により商品Ｇの前方へのこぼれ出しを防止でき、商品Ｇを後面板３に凭れさせて安定した状態で展示することができる。
【００４０】
このように、上記包装展示兼用箱では、１ピースのブランクからトレイ部分２１と蓋部分２２とを構成し、包装状態では、トレイ部分２１と蓋部分２２とを、基本的に天側板８の切目線１２ａより後部と後側板７との接着によってのみ固定するので、蓋部分２２を引っ張って、天面板４から天側板８へ続く切目線１２ａを切断するだけで開封し、展示状態とすることができる。
【００４１】
また、トレイ部分２１と蓋部分２２との重なり合う部分を、前面及び側面の一部だけとして、材料の使用面積を抑制することができるほか、簡単な包装構造であることから、封緘機への適用性に優れ、効率よく封緘することができる。
【００４２】
なお、上記実施形態では、押込部１２を後面板３の上部に設けることにより、切目線１２ａが後面板３から天面板４へ続くものを例示したが、押込部１２を天面板４に設け、天面板４のみに入れた切目線１２ａが天側板８の切目線１２ａに続くようにしてもよい。切目線１２ａの線形は特に限定されるものではない。また、押込部１２に換えて、当初より開口した指入穴を設けてもよい。
【００４３】
また、底側板６から延出した連結片１０を前受板１に接着することにより、前受板１と底側板６とを連結するものを例示したが、連結片１０を前受板１から延出し、これを底側板６に接着するようにしてもよい。
【００４４】
また、両側面に前側板９を有するものを例示したが、高さより奥行が大きい浅型の箱の場合には、両側面が底側板６や天側板８で覆われる形式の箱もあり、このような形式の包装展示兼用箱の場合、前側板９を省略してもよい。
【００４５】
このような包装展示兼用箱の場合、天側板８の切目線１２ａがその前側の端縁に至るようにしてもよく、天側板８の切目線１２ａを省略し、天面板４の切目線１２ａが天側板８との境界の前端に至るようにしてもよい。
【００４６】
具体的には、図５〜図８に示す第２実施形態のような構成としてもよい。
【００４７】
この包装展示兼用箱は、図５にブランクで示すように、上記第１実施形態と基本構造が共通するものであるが、その天面板４に入れた切目線１２ａは、後面板３側に設けた押込部１２の両端から前面板５の方向へ向かい、前面板５との境界の手前で外側へ湾曲し、前面板５との境界に沿って両側方へ延び、天側板８との境界の前端へ至っている。
【００４８】
そして、このブランクを組み立てて商品を包装する際には、図６に示すように、天側板８と前側板９とは、接着しないこととしておく。また、前受板１の切取部１１と前面板５のこれに重なる部分とを、接着部１６で接着しておく。
【００４９】
このような包装展示兼用箱を商品の展示のため開封する際には、図７に示すように、押込部１２を押し込んで天面板４の上部を手前に引くことにより、切目線１２ａを切断し、天面板４を、トレイ部分２１に付着して残存する両側部と、蓋部分２２をなす中間部とに分割し、切取部１１を、切目線１１ａの切断に伴い、前面板５に貼り付いた状態で前受板１から切り取る。
【００５０】
このように開封すると、図８に示すように、トレイ部分２１に付着した天面板４の両側部が前端まで残存し、ブラケット状の天側板８で支持されるので、複数のトレイ部分２１を真上に積み上げて、商品Ｇを展示することができる。
【００５１】
なお、図９にブランクで示すように、天面板４における前後方向の中間部に押込部１２を設け、その両端から切目線１２ａが前面板５の方向へ向かい、前面板５との境界の手前で外側へ湾曲し、前面板５との境界に沿って両側方へ延び、天側板８との境界の前端へ至るようにしてもよい。
【００５２】
また、図１０にブランクで示すように、天面板４における前端部に押込部１２を設け、その両端から切目線１２ａが前面板５との境界に沿って両側方へ延び、天側板８との境界の前端へ至るようにしてもよい。
【００５３】
ところで、上記各実施形態では、ホットメルト接着剤を使用して接着部１３〜１６を接着し、包装状態に組み立てる場合を例示したが、ホットメルト接着剤に換えて、他の接着剤や粘着テープを使用して組み立てるようにしてもよい。
【００５４】
また、材料として段ボールを使用したものを例示したが、段ボールに換えて、板紙等の他のシート材を材料として使用してもよい。
【００５５】
次に、上記第１実施形態に示すような包装展示兼用箱に食品パウチを収納して包装する包装装置の概要を、図１１〜図１３に基づいて説明する。なお、第２実施形態に示すような包装展示兼用箱についても、ほぼ同様の包装装置で組み立てることができる。
【００５６】
この包装装置では、図１１（Ｉ）に示すように、マガジンから伏せた状態でブランクが供給され、同図（II）に示すように、底面板２が後面板３に対して起立方向へ折り曲げられ、底面板２から底側板６が折り曲げられて、底側板６の接着部１４に接着剤ノズルａ１からホットメルト接着剤が吹き付けられる。そして、後側板７の折り曲げに伴い、底側板６と後側板７とが圧着されて、トレイ部分２１が途中まで形成される。
【００５７】
次に、同図（III）に示すように、後面板３が底面板２へ向けて低くなるように傾けられ、後側板７の両側方から保持具ｂに保持された状態で、以下に続く工程へ搬送される。そして、同図（IV）に示すように、後面板３から天面板４が途中まで起こされると共に、前面板５が底面板２とは反対側へ折り曲げられる。また、天面板４から天側板８が後側板７に重なる方向へ一旦折り曲げられ、天側板８に折癖が付与されると共に、天側板８により後側板７の後面板３からの起立状態の安定化が図られる。
【００５８】
次に、同図（Ｖ）に示すように、連結片１０が少し外側へ折り曲げられ、同図（VI）に示すように、食品パウチである商品Ｇが平らな面を上下に向けた状態で、マニピュレータ等により、後面板３の内面上に順次落とし込まれるようにトレイ部分２１に挿入されて積み上げられる。
【００５９】
このとき、天面板４は、上方が底面板２から離れるように傾斜し、連結片１０は、少し外側へ折り曲げられているので、天面板４及び連結片１０が商品Ｇの挿入を阻害することはなく、商品Ｇは箱内に誘導されるように挿入され、後面板３の傾斜により後面板３に沿って滑り、これに伴い底面板２側へ寄せられ、後側板７及び天面板４に規制されて揃えられた状態で、トレイ部分２１に収納される。
【００６０】
そして、商品Ｇの収納後、図１２（Ｉ）に示すように、連結片１０が内側へ折り曲げられ、押圧バーｃで連結片１０の反発が押さえられた状態で、前受板１が外側へ折り曲げられ、同図（II）に示すように、前受板１の裏面の接着部１３に接着剤ノズルａ２からホットメルト接着剤が吹き付けられる。その後、連結片１０の押圧バーｃによる押圧が解除され、同図（III）に示すように、前受板１が折り曲げられて、同図（IV）に示すように、連結片１０に圧着される。これにより、トレイ部分２１が完成する。
【００６１】
次に、同図（Ｖ）に示すように、前受板１の切取部１１の領域内における接着部１６に接着剤ノズルａ３からホットメルト接着剤が吹き付けられ、同図（VI）及び（VII）に示すように、前面板５が前受板１の方向へ折り曲げられて、トレイ部分２１に蓋部分２２が被せられ、切取部１１と前面板５とが圧着される。また、天側板８が吸盤ｄの吸着等により後側板７から一旦引き離される。これは、天側板８を前側板９の外側に重ね、流通過程での天面板４の落ち込みを後側板７及び前側板９で受け止めて防止するためである。
【００６２】
なお、この接着部１６での接着に際し、前面板５の前受板１に対する幅方向への位置ずれを防止するため、同図（VI）に示すように、垂直方向に延びるガイドバーｇに、前側板９の前受板１側の端縁に設けた切欠部を係合させつつ、前面板５を折り曲げるようにすることも考えられる。
【００６３】
次に、図１３（Ｉ）に示すように、前側板９の接着部１５に接着剤ノズルａ４からホットメルト接着剤が吹き付けられ、また、後側板７の接着部１５ａに接着剤ノズルａ５からホットメルト接着剤が吹き付けられた後、同図（II）に示すように、前側板９が折り曲げられて、前側板９と後側板７の先端同士が突き合わされる。その後、同図（III）に示すように、天側板８が後側板７及び前側板９の外面に重なるように折り曲げられて、天側板８の切目線１２ａの前後で前側板９及び後側板７と天側板８とが圧着され、蓋部分２２がトレイ部分２１に固定されることにより、同図（IV）に示すように、組み立てが完了する。
【００６４】
このように組み立てられた包装展示兼用箱は、同図（Ｖ）に示すように、天側板８が前側板９及び後側板７から浮き上がっているような接着不良があれば、プッシャーで押されて系外に排出され、そのような不良がなければ、同図（VI）に示すように、コンベヤにより良品の排出側へ搬送されて出荷される。
【００６５】
上記のような包装装置を使用して、食品パウチのような商品Ｇを包装すると、商品Ｇの包装作業を正確かつ高速に行うことができ、積み重ねた商品Ｇを、ほとんど隙間が生じないように整列させて包装展示兼用箱に収納できるので、効率よく包装して輸送できるほか、開封直後における展示状態での商品Ｇの前倒れ等が防止され、美観に優れた展示を行うことができる。
【符号の説明】
【００６６】
１  前受板
２  底面板
３  後面板
４  天面板
４ａ  山折線
４ｂ  谷折線
５  前面板
６  底側板
７  後側板
８  天側板
９  前側板
１０  連結片
１１  切取部
１１ａ  切目線
１２  押込部
１２ａ  切目線
１３，１４，１５，１５ａ，１６  接着部
２１  トレイ部分
２２  蓋部分
Ｇ  商品
ａ１〜ａ５  接着剤ノズル
ｂ  保持具
ｃ  押圧バー
ｄ  吸盤
ｇ  ガイドバー
【図１】
2016120967.tif 000003
【図２】
2016120967.tif 000004
【図３】
2016120967.tif 000005
【図４】
2016120967.tif 000006
【図５】
2016120967.tif 000007
【図６】
2016120967.tif 000008
【図７】
2016120967.tif 000009
【図８】
2016120967.tif 000010
【図９】
2016120967.tif 000011
【図１０】
2016120967.tif 000012
【図１１】
2016120967.tif 000013
【図１２】
2016120967.tif 000014
【図１３】
2016120967.tif 000015
【図１４】
2016120967.tif 000016